(57)【特許請求の範囲】
【請求項１】
台紙上に複数枚のラベルが仮着された帯状のラベル連続体がロール状に巻回されたロール体からラベル連続体を引き出して、台紙から剥離されたラベルを被貼付け体に貼り付けるために用いられる携帯式ラベル貼付け機であって、
ラベル連続体に形成されている移送用スリットに係合して回転することにより、ラベル連続体を移送する移送ローラーと、
筐体に形成された挿入口に挿入されるラベル連続体を前記移送ローラーに向けてガイドするガイド部と、
前記筐体に設けられたグリップに対して回動可能な操作レバーを含み、前記操作レバーの回動に伴って前記移送ローラーを駆動する操作機構と、
前記筐体に回動可能に取り付けられたプラテンフレーム本体部と、
前記移送ローラーによって移送されるラベル連続体に当接することによってラベルを台紙から剥離する剥離部材を有し、前記プラテンフレーム本体部によって回動可能に支持されたプラテンフレーム先端部と、
前記筐体に開閉可能に取り付けられ、前記筐体に対して閉じられているときに、少なくとも前記プラテンフレーム先端部を前記筐体側に固定する蓋と、
を具備する携帯式ラベル貼付け機。
【請求項２】
前記プラテンフレーム本体部が前記筐体側に固定され、前記プラテンフレーム先端部が前記筐体と反対側に解放されたときに、ラベル連続体の先端部を前記挿入口に挿入して前記操作レバーを操作することにより、ラベル連続体が前記移送ローラーによって移送されて前記筐体の外に排出される、請求項１記載の携帯式ラベル貼付け機。
【請求項３】
前記蓋が、前記筐体に対して閉じられているときに、前記剥離部材によって台紙から剥離されたラベルを第１の方向に通過させると共に、台紙を前記第１の方向とは異なる第２の方向に通過させる、請求項１又は２記載の携帯式ラベル貼付け機。
【請求項４】
前記操作レバーが第１の位置から第２の位置に回動するときにラベルに印字を行う印字機構をさらに具備し、前記操作機構が、前記操作レバーの第２の位置から第１の位置への回動に伴って前記移送ローラーを所定の角度だけ回転させる、請求項１〜３のいずれか１項記載の携帯式ラベル貼付け機。
【発明の詳細な説明】
【技術分野】
【０００１】
本発明は、台紙上に複数のラベルが仮着された帯状のラベル連続体がロール状に巻回されたロール体からラベル連続体を引き出して、必要に応じてラベルに印字を行い、台紙から剥離されたラベルを被貼付け体に貼り付けるために用いられる携帯式ラベル貼付け機に関する。
【背景技術】
【０００２】
携帯式ラベル貼付け機は、台紙上に複数のラベルが仮着された帯状のラベル連続体がロール状に巻回されたロール体を保持し、ロール体からラベル連続体を引き出して、剥離部材で台紙を転向させてラベルを剥離し、台紙から剥離されたラベルを被貼付け体に貼り付け可能としている（例えば、特許文献１を参照）。
【０００３】
図４は、従来の携帯式ラベル貼付け機においてラベル連続体を装填している状態を示す側面図である。携帯式ラベル貼付け機にラベル連続体３を装填するためには、操作者が、ラベル連続体３がロール状に巻回されたロール体をラベル保持軸１５に保持させた後、底蓋１６を図中時計方向に回転させて開放し、さらに、プラテンフレーム８を図中反時計方向に回転させて開放する。これに連動して、ラベル押さえ７が図中反時計方向に回動するので、図４に示すように、ラベル連続体３を装填するための装填ルートが確保される。
【０００４】
その状態で、操作者が、ロール体から引き出されたラベル連続体３の先端部を移送ローラー６とラベル押さえ７との間に通し、ラベル連続体３の台紙３ａを剥離ピン（転向ピン）９に当接させて折り返すことにより、ラベル連続体３を移送ローラー６に係合可能な状態とする。次に、操作者が、プラテンフレーム８を図中時計方向に回転して閉鎖し、さらに、底蓋１６を図中反時計方向に回転して閉鎖することにより、プラテンフレーム８と底蓋１６との間に台紙３ａを挟むようにすれば、ラベル連続体３の装填が完了する。
【０００５】
しかしながら、移送ローラー６とラベル押さえ７との間の隙間は狭く、また、装填ルートが曲がっているので、携帯式ラベル貼付け機にラベル連続体３を装填することは容易ではない。特に、ロール体から引き出されたラベル連続体３にカールが生じている場合には、ラベル連続体３の先端部を内部機構の隙間に通すのが困難であった。
【先行技術文献】
【特許文献】
【０００６】
【特許文献１】特開平６−１７１６３６号公報（段落００１０−００１６、図１、図２）
【発明の概要】
【発明が解決しようとする課題】
【０００７】
そこで、上記の点に鑑み、本発明は、簡単な操作でラベル連続体を装填することが可能な携帯式ラベル貼付け機を提供することを目的とする。
【課題を解決するための手段】
【０００８】
以上の課題を解決するため、本発明の１つの観点に係る携帯式ラベル貼付け機は、台紙上に複数枚のラベルが仮着された帯状のラベル連続体がロール状に巻回されたロール体からラベル連続体を引き出して、台紙から剥離されたラベルを被貼付け体に貼り付けるために用いられる携帯式ラベル貼付け機であって、ラベル連続体に形成されている移送用スリットに係合して回転することにより、ラベル連続体を移送する移送ローラーと、筐体に形成された挿入口に挿入されるラベル連続体を移送ローラーに向けてガイドするガイド部と、筐体に設けられたグリップに対して回動可能な操作レバーを含み、操作レバーの回動に伴って移送ローラーを駆動する操作機構と、筐体に回動可能に取り付けられたプラテンフレーム本体部と、移送ローラーによって移送されるラベル連続体に当接することによってラベルを台紙から剥離する剥離部材を有し、プラテンフレーム本体部によって回動可能に支持されたプラテンフレーム先端部と、筐体に開閉可能に取り付けられ、筐体に対して閉じられているときに、少なくともプラテンフレーム先端部を筐体側に固定する蓋とを具備する。
【発明の効果】
【０００９】
本発明の１つの観点によれば、プラテンフレーム本体部が筐体側に固定され、プラテンフレーム先端部が筐体と反対側に解放されたときに、ラベル連続体の先端部を挿入口に挿入して操作レバーを操作することにより、ラベル連続体が移送ローラーによって移送されて筐体の外に排出されるので、簡単な操作でラベル連続体を装填することが可能となる。
【図面の簡単な説明】
【００１０】
【図１】本発明の一実施形態に係る携帯式ラベル貼付け機の一方の側板を取り除いた状態を示す側面図である。
【図２】図１に示す携帯式ラベル貼付け機においてラベル連続体を装填している第１の状態を示す側面図である。
【図３】図１に示す携帯式ラベル貼付け機においてラベル連続体を装填している第２の状態を示す側面図である。
【図４】従来の携帯式ラベル貼付け機においてラベル連続体を装填している状態を示す側面図である。
【発明を実施するための形態】
【００１１】
以下、本発明の実施形態について、図面を参照しながら詳しく説明する。なお、同一の構成要素には同一の参照符号を付して、重複する説明を省略する。
図１は、本発明の一実施形態に係る携帯式ラベル貼付け機の一方の側板を取り除いた状態を示す側面図である。携帯式ラベル貼付け機１は、台紙（剥離紙）３ａ上に複数のラベル３ｂが仮着された帯状のラベル連続体３がロール状に巻回されたロール体からラベル連続体３を引き出して、必要に応じてラベル３ｂに印字を行い、台紙３ａから剥離されたラベル３ｂを被貼付け体（図示せず）に貼り付けるために用いられる。
【００１２】
図１に示すように、携帯式ラベル貼付け機１は、筐体を構成する左右１対の側板２と、保持機構４と、操作レバー５と、移送ローラー６と、ラベル押さえ７と、プラテンフレーム８ａ及び８ｂと、剥離ピン（転向ピン）９と、底蓋１６と、印字器１７と、インキローラー１８と、貼付けローラー１９とを含んでいる。なお、図１においては、一方の側板２のみが示されている。
【００１３】
保持機構４は、側板２に設けられたホルダー軸１３の回りに回動することにより側板２に対して開閉可能に取り付けられたホルダーカバー１４と、このホルダーカバー１４の内部に設けられたラベル保持軸１５とを含み、ラベル連続体３がロール状に巻回されたロール体をラベル保持軸１５に保持することが可能である。
【００１４】
左右１対の側板２の内側には、筐体に形成された挿入口に挿入されるラベル連続体３を移送ローラー６に向けてガイドするガイド部として、ガイドリブ２１及びガイド部材２２が設けられている。
【００１５】
移送ローラー６は、ラベル連続体３に形成されている移送用スリットに係合して、回転軸２３を中心として回転することにより、ラベル連続体３を貼付けローラー１９の方向に移送する。ラベル連続体３において、１列又は複数列の移送用スリットが所定のピッチで形成されている場合には、移送ローラー６に、１列又は複数列の移送用爪が同様のピッチで設けられてもよい。それらの移送用爪は、移送ローラー６の回転に伴って、ラベル連続体３の移送用スリットに係脱可能となっている。
【００１６】
ラベル押さえ７は、回転軸７ａを中心として回動可能となるように筐体に取り付けられている。ラベル押さえ７は、図１に示す位置において、移送ローラー６との間でラベル連続体３を挟むことにより、ラベル連続体３を移送ローラー６に係合可能な状態とする。
【００１７】
プラテンフレームは、プラテンフレーム本体部８ａと、プラテンフレーム先端部８ｂとを含んでいる。プラテンフレーム本体部８ａは、回転軸２３の回りに回動可能となるように筐体に取り付けられている。プラテンフレーム本体部８ａの左右には、１対の係脱ローラー２４が突出するように形成されており、開閉用つまみ２５に連結された開閉用係脱片と係脱可能になっている。開閉用つまみ２５を操作することにより、プラテンフレーム本体部８ａを筐体側に固定したり、筐体と反対側に解放したりすることができる。
【００１８】
プラテンフレーム本体部８ａは、筐体側に固定されたときに、ラベル押さえ７の一部（図中下側）に当接して、ラベル押さえ７の回動範囲を規制する。これにより、移送ローラー６とラベル押さえ７との間の間隔が所定の値以下となり、ラベル連続体３が、移送ローラー６とラベル押さえ７との間に挟まれて、移送ローラー６に係合可能な状態となる。
【００１９】
一方、プラテンフレーム本体部８ａを筐体と反対側に解放すると、これに連動して、ラベル押さえ７が図中反時計方向に回動する。通常は、プラテンフレーム本体部８ａを解放する必要はないが、ラベルにジャムが発生したり、携帯式ラベル貼付け機１の内部を清掃したりする場合には、プラテンフレーム本体部８ａを解放してメンテナンスを行うことができる。
【００２０】
プラテンフレーム先端部８ｂの一端（図中右側）は、ヒンジ等を用いて、プラテンフレーム本体部８ａによって回動可能に支持されている。また、プラテンフレーム先端部８ｂの他端（図中左側）には、剥離ピン９が設けられている。剥離ピン９は、移送ローラー６によって移送されるラベル連続体３に当接することによって、ラベル３ｂを台紙３ａから剥離する剥離部材である。
【００２１】
底蓋１６は、筐体に開閉可能に取り付けられ、筐体に対して閉じられているときに、少なくともプラテンフレーム先端部８ｂを固定する。印字器１７は、インキローラー１８と共に、プラテンフレーム先端部８ｂ上のラベル連続体３に印字を行う印字機構を構成する。貼付けローラー１９は、剥離ピン９によって剥離されたラベル３ｂに当接することによって、ラベル３ｂを被貼付け体に貼り付け可能とする。
【００２２】
また、左右１対の側板２には、操作者が握持可能なグリップ１０が一体的に設けられている。操作レバー５は、このグリップ１０に対して、レバー軸１１の回りに回動可能に取り付けられている。操作レバー５とグリップ１０との間には、任意の付勢部材、例えば、コイルスプリング１２が設けられており、グリップ１０に対して操作レバー５を図１に示すような解放時離反状態に付勢している。
【００２３】
筐体内には、操作レバー５の回動に伴って移送ローラー６を回転させる駆動機構（図示せず）が設けられている。また、操作レバー５は、その先端側に二股形状のヨーク部５ａを有し、このヨーク部５ａに印字器１７が取り付けられる。ここで、操作レバー５、グリップ１０、レバー軸１１、コイルスプリング１２、及び、駆動機構は、操作レバー５の回動に伴って移送ローラー６及び印字器１７を駆動する操作機構を構成する。
【００２４】
操作者は、コイルスプリング１２の付勢力に抗してグリップ１０と共に操作レバー５を握持及び解放することにより、移送ローラー６及び印字器１７を駆動することができる。例えば、操作レバー５が解放時離反状態における第１の位置から握持状態における第２の位置に回動するときに、印字器１７がラベル３ｂに印字を行う。また、操作レバー５の第２の位置から第１の位置への回動に伴って、操作機構が、移送ローラー６を所定の角度だけ回転させる。
【００２５】
即ち、操作者がグリップ１０と共に操作レバー５を握持すると、操作レバー５が第１の位置から第２の位置へ回動する際に、印字器１７も筐体に対して図中反時計方向に回動する。それにより、インキローラー１８によって印字器１７の活字部１７ａにインキが塗布され、プラテンフレーム先端部８ｂ上のラベル連続体３に活字部１７ａが当接して、ラベル３ｂに所望の情報が印字される。なお、既に印字が行われているラベル連続体３を用いる場合には、ラベル３ｂに印字を行う必要がないので、印字器１７を取り外す等によって、印字を省略することができる。
【００２６】
また、操作者がグリップ１０から操作レバー５を解放すると、操作レバー５が第２の位置から第１の位置へ回動する際に、操作機構が、移送ローラー６を所定の角度だけ回転させる。また、移送ローラー６の周面には所定間隔を空けて複数の凸部が形成されており、この凸部の間隔と同一間隔で形成されたラベル連続体３の台紙３ａの移送用スリットに移送ローラー６が係合する。これにより、ラベル連続体３が、プラテンフレーム８ａ及び８ｂに沿って移送される。即ち、移送ローラー６は、ラベル押さえ７側の位置でラベル連続体３を剥離ピン９に向けて押し出すように搬送すると共に、プラテンフレーム先端部８ｂの下流側の位置で台紙３ａを底蓋１６との間で挟み込み、排出方向に引っ張って搬送する。剥離ピン９は、移送ローラー６によって移送されるラベル連続体３の台紙３ａ側に当接することによって、ラベル３ｂの剛性によってラベル３ｂを台紙３ａから剥離する。底蓋１６は、筐体に対して閉じられているときに、剥離ピン９によって台紙３ａから剥離されたラベル３ｂを第１の方向（図中左下方向）に通過させると共に、台紙３ａを第２の方向（図中右方向）に通過させる。
【００２７】
貼付けローラー９は、携帯式ラベル貼付け機１の筐体の先端下方部（図１における左端下方部）に位置すると共に、その円周の一部が筐体の外部に露出しており、剥離ピン９によって剥離されたラベル３ｂに当接する。操作者が、貼付けローラー９上のラベル３ｂを被貼付け体に押し付ける貼付け操作を行うことにより、ラベル３ｂが貼付けローラー９によって被貼付け体に圧着されて貼り付けられる。
【００２８】
携帯式ラベル貼付け機１にラベル連続体３を装填するためには、操作者が、ラベル連続体３がロール状に巻回されたロール体をラベル保持軸１５に保持させた後、底蓋１６を図中時計方向に回転させて開放する。ただし、プラテンフレーム本体部８ａは、筐体側に固定されたままとする。さらに、操作者が、プラテンフレーム先端部８ｂを図中反時計方向に回転させて開放することにより、携帯式ラベル貼付け機１を図２に示すような開放装填可能状態とする。
【００２９】
次に、操作者は、ロール体から引き出されたラベル連続体３の先端部を、筐体に形成された挿入口に挿入して、ラベル連続体３がガイドリブ２１とガイド部材２２との間を通って移送ローラー６に接触する状態とする（図２参照）。さらに、操作者が、操作レバー５を握持及び解放することにより、移送ローラー６が回転して、ラベル連続体３の台紙３ａに形成されている移送用スリットに係合する。操作者が、操作レバー５の握持及び解放を繰り返すことにより、ラベル連続体３が移送ローラー６によって移送されて、図３に示すように筐体の下側から外に排出される。
【００３０】
操作者が、ラベル連続体３の台紙３ａを剥離ピン９に当接させて折り返した後、プラテンフレーム先端部８ｂを図中時計方向に回転して閉鎖し（図１参照）、さらに、底蓋１６を図中反時計方向に回転して閉鎖することにより、底蓋１６とプラテンフレーム８ａ及び８ｂとの間を通過させた台紙３ａの先端部分を底蓋１６で押し込むことで移送ローラー６の凸部に台紙３ａの移送用スリットを係合させることによって、ラベル連続体３の装填が完了する。
【００３１】
このように、本実施形態によれば、プラテンフレーム先端部８ｂがプラテンフレーム本体部８ａによって回動可能に支持されているので、プラテンフレーム本体部８ａを解放しなくてもラベル連続体３を装填することが可能である。これにより、ラベル連続体３の装填は、携帯式ラベル貼付け機１の筐体に形成された挿入口にラベル連続体３を挿入して、操作レバー５を操作することにより行うことができる。また、ラベル連続体３を装填する際に、ラベル連続体３の先端部がラベル押さえ７等に衝突してラベルにジャムが発生することもない。
【符号の説明】
【００３２】
１…携帯式ラベル貼付け機、２…側板、３…ラベル連続体、３ａ…台紙、３ｂ…ラベル、４…保持機構、５…操作レバー、５ａ…ヨーク部、６…移送ローラー、７…ラベル押さえ、７ａ…回転軸、８…プラテンフレーム、８ａ…プラテンフレーム本体部、８ｂ…プラテンフレーム先端部、９…剥離ピン、１０…グリップ、１１…レバー軸、１２…コイルスプリング、１３…ホルダー軸、１４…ホルダーカバー、１５…ラベル保持軸、１６…底蓋、１７…印字器、１７ａ…活字部、１８…インキローラー、１９…貼付けローラー、２１…ガイドリブ、２２…ガイド部材、２３…回転軸、２４…係脱ローラー、２５…開閉用つまみ
【図１】
0005839468.tif 000002
【図２】
0005839468.tif 000003
【図３】
0005839468.tif 000004
【図４】
0005839468.tif 000005